(57)【要約】      （修正有）【課題】新わい化栽培における苗木の育苗促進のため、盛土が崩れたり或いは流されたりするのを防止して労働の軽減を図るとともに、育苗の発根を促進してより早く且つより太く強い育苗となる苗木発根促進カバー体を提供する。【解決手段】反復して使用の折畳みが可能で、使用に支障をきたさない適宜な厚さを有し、直径が５０〜２００ｍｍで高さが（長さ）が１００〜４００ｍｍの円筒状を呈し、熱可塑性樹脂で作られ、該カバー体には白色系の着色がなされ、着色される白色系のカラーは、白色，乳白色であることを特徴とする。【選択図】図２
0003152701.tif 000002
【実用新案登録請求の範囲】
【請求項１】
反復して折畳みが可能で、使用に支障をきたさない適宜な厚さを有し、直径が５０〜２００ｍｍで高さが（長さ）が１００〜４００ｍｍの円筒状を呈し、熱可塑性樹脂で作られ、且つ白色系の着色がなされた苗木発根促進カバー体。
【請求項２】
着色される白色系のカラーは、白色，乳白色であることを特徴とする請求項１記載の苗木発根促進カバー体。
【考案の詳細な説明】
【技術分野】
【０００１】  本考案は、リンゴの樹木を小型に保ち且つ、わい性台木と早期多収が可能なカットツリーという２つの技術を同時に活用する、所謂、新わい化栽培苗木の育苗に用いられる苗木の発根促進カバー体に関するものである。
【背景技術】
【０００２】  そもそも１個のりんごには略２０個程の種が入っているが、そのりんごの種を蒔いても絶対にその品種にはならないし、また、そのりんごの樹の枝を切り取って土に挿木しても発根が無く根付かない。
そこでりんごの苗木を作るときは、りんごとの相性も良く、且つ土に挿すとほとんどが活着するほど発根性が優れているマルハカイドウという植物を台木とし、このマルハカイドウにＭ２６やＭ９などと称され、樹を小さく納めることができるという「わい性台木」を接ぎ木した台木に、更に求める品種を接いだ苗木（穂木）を用いた新わい化栽培が世界のりんごの主産国では主流となっている。
つまり、りんごの新わい化栽培における苗木の育苗促進は最も重要な要素で、成功の可否はこの苗木の育苗促進にあると言って過言ではなく、苗木（穂木）の発根をひたすら願いながら、根元に施した盛土の管理を怠り無く日々続けている。【０００３】  つまり、根元に盛土を施すと一言で云っても、その管理は予想以上に労苦を要する作業で、例えば、雨のときは、育苗の盛土が崩れたり或いは流されたりするため、翌日にはそれらを育苗全数に対し復旧させなければ育苗の発根に支障をきたしてくる。
生産者の高齢化と担い手不足の中でのこれらの対応は、りんご果樹園づくりと運営と経営の困難性をもたらしている一因となっている。
【考案の開示】
【考案が解決しようとする課題】
【０００４】  そこで出願人は、新わい化栽培における苗木の育苗促進のため、盛土が崩れたり或いは流されたりするのを防止して労働の軽減を図るとともに、育苗の発根を促進してより早く且つより太く強い育苗となるようにして、作業効率が良く、新規就農者でも参入できる果樹園づくりの一翼を担う手助けをしようとするものである。
【課題を解決するための手段】
【０００５】  そこで上記目的を達成するため本考案は、反復使用の折畳みに支障をきたさない適宜な厚さを有し、直径が５０〜２００ｍｍで高さが（長さ）が１００〜４００ｍｍの円筒状を呈し、熱可塑性樹脂で作られ、反復して折畳み使用が可能で、且つ白色系の着色がなされた苗木発根促進カバー体を提供することで課題を解決するための手段としている。【０００６】  また着色される白色系のカラーは、白色，乳白色であることも特徴とする苗木発根促進カバー体である。
【考案の効果】
【０００７】（４）
本考案は、以上のような構成で課題を解決するための手段とするものであるから、以下の効果を奏する。
（１）出願人の実験によれば、紺色系や赤系或いは黒色系と言った白色系以外の着色のものを使用した苗木は、ことごとく発根し始めた根が腐り始め、生育に至った苗木は数少ない結果となった。
これに対し、白色や乳白色と言った白色系の着色がなされたものにあっては、満足する発根と生育結果が得られていることからして、発根促進カバー体の着色は育苗において大きな要素となっている。【０００８】（２）発根促進カバー体は円筒状を呈し、且つ反復使用の折畳みに支障をきたさない適宜な厚さを有する熱可塑性樹脂で作られているために、円筒状を呈しているとは言え、反復して折畳み使用が可能で、現地までの搬送経費ばかりでなく、次回使用までの間は、折畳んで保管が可能であるため、保管場所のスペースも少なくて済む他、使用場所や保管場所までの移動は効率よく行うことができる。【０００９】（３）発根促進カバー体は直径が５０〜２００ｍｍで高さが（長さ）が１００〜４００ｍｍで形成されているので、この範囲内で数種類のサイズのものを製造しておく事で、小さい若苗木のものから一定の大きさの苗木のものまで使用できる。
Ｍ２６やＭ９に希望する苗木（穂木）を主に「切り接ぎ」の方法で行われるりんごの場合において、Ｍ２６やＭ９の上部から切断して新たなりんごの苗木となるとき、本考案の発根促進カバー体を苗木から支障なく容易に外すことができるなどの効果を奏する。
【考案を実施するための最良の形態】
【００１０】  本考案の苗木発根促進カバー体は、例えば低密度ポリエチレンのような熱可塑性樹脂で作られ、反復して折畳みが可能で且つ使用に支障をきたさない適宜な厚さを有し、直径が５０〜２００ｍｍで、その長さ（高さ）は１００〜４００ｍｍの円筒状を呈している。
直径と長さ（高さ）は前記の範囲内で数種類のタイプのものが用意されることが望ましいが、厚さは前記の数種類のタイプが同一であっても差し支え無い。【００１１】  Ｍ２６やＭ９と称されるわい性台木に求める品種を接いだ苗木（穂木）の発根を促すためには、発根促進カバー体のカラーは、白色や乳白色などの白色系の着色が適していて、他の色、例えば紺色系や黒，茶といった色系は発根が育たないため適さない事が実験によって明らかとなっている。【００１２】  本考案の発根促進カバー体は、数回繰返して使用されることを想定しているため、用意される何れのサイズのものも、反復して折畳みが可能であり、これらに耐える適宜な厚さと耐久性を備えていることが肝要となる。
【実施例】
【００１３】  図面に示す実施例に基づき本考案を詳細に説明すると、図１はりんごの新わい化栽培法を説明するもので、台木１に符号２のＭ２６やＭ９と称される木が接木され、該木の根が符号３で、これに符号４の希望する苗木（穂木）が接木される。
図中、符号５で示されているのは発根成長した根で、この発根成長を促進することが本考案最大の目的である。【００１４】  図２は本考案の苗木発根促進カバー体６の使用例を説明するもので、台木１に符号２のＭ２６やＭ９と称される樹を小さく納めることができるという「わい性台木」木が接木され、これに希望する苗木（穂木）４が接木されているりんごのわい化栽培において、本考案の苗木発根促進カバー体６を、図１の盛土Ｂに相当する部位に用いられる。
つまり、符号２のわい性台木と希望する苗木（穂木）４との接木を囲い込む形で設置され、これに籾殻や土を入れて発根の促進を行うものである。
即ち、本考案の発根促進カバー体を使用することで、盛土の作業とその管理を省くことが可能となる。【００１５】  図２状態で苗木（穂木）４の発根を促進し、頃合をみてわい性台木の上部ａ線から切断して、りんごの苗木として植えつける。
【産業上の利用可能性】
【００１７】  本考案の苗木発根促進カバー体を使用することで、新わい化栽培における苗木（穂木）の栽培に欠くことのできなかった重労働の盛土の作業とその管理を省く事ができることから、  生産者の高齢化と担い手不足の中で、これらの作業を省く事ができることはりんご栽培の効率を挙げるとともに、新規就農者でも参入できる果樹園づくりの一翼を担う手助けとなることからその効果は大いに期待される。
【図面の簡単な説明】
【００１８】
【図１】は、りんごの新わい化栽培法による苗木の栽培方法の説明図である。
【図２】は、りんごの新わい化栽培法による苗木の栽培方法に本考案の苗木発根促進カバー体を使用したときを説明する図である。
【符号の説明】
【００１９】Ａ栽培土      Ｂ盛土      ａ切断線
１台木      ２わい性台木      ３わい性台木の根      ４希望する苗木（穂木）
５苗木（穂木）の発根      ６苗木発根促進カバー体
【図１】
0003152701.tif 000003
【図２】
0003152701.tif 000004
【手続補正書】
【提出日】平成21年5月14日(2009.5.14)
【手続補正１】
【補正対象書類名】実用新案登録請求の範囲
【補正対象項目名】全文
【補正方法】変更
【補正の内容】
【実用新案登録請求の範囲】
【請求項１】
苗木の発根を促進するため台木と苗木との接木を囲い込むカバー体であって、直径が５０〜２００ｍｍで高さが１００〜４００ｍｍの円筒状を呈し、熱可塑性樹脂で作られ、且つ白色系の着色がなされた苗木発根カバー体。
【手続補正２】
【補正対象書類名】明細書
【補正対象項目名】０００５
【補正方法】変更
【補正の内容】
【０００５】  そこで上記目的を達成するため本考案は、苗木の発根を促進するため台木と苗木との接木を囲い込むカバー体であって、直径が５０〜２００ｍｍで高さが１００〜４００ｍｍの円筒状を呈し、熱可塑性樹脂で作られ、且つ白色系の着色がなされた苗木発根カバー体を提供することで課題を解決する手段としている。